(57)【要約】【課題】  顔パックの伸縮性を向上させ、顎から顔面にかけて好適に被覆できると共に、使用者が自由に動けるように、顔面にしっかりと固定することができる耳掛け式顔パックを提供する。【解決手段】  中央近傍における目と口に対応する位置に３つの開口が形成され、左右両側に耳掛けスリットが形成されている顔面貼り付け部を含み、その顔面貼り付け部の全域にわたってグリッドが設けられていることを特徴とする。【選択図】  図１
0003153252.tif 000002
【実用新案登録請求の範囲】
【請求項１】
中央近傍における目と口に対応する位置に３つの開口が形成され、左右両側に耳掛けスリットが形成されている顔面貼り付け部を含み、その顔面貼り付け部の全域にわたってグリッドが設けられていることを特徴とする耳掛け式顔パック。
【請求項２】
さらに、全域にわたってグリッドが設けられ、上辺の中央部が前記顔面貼り付け部の底辺の中央部と連結されている顎貼り付け部を有していることを特徴とする請求項１に記載の耳掛け式顔パック。
【請求項３】
前記顎貼り付け部の両端にはそれぞれ、外方に向って延出し、耳掛けスリットが形成されている耳掛け部が形成されていることを特徴とする請求項２に記載の耳掛け式顔パック。
【請求項４】
前記グリッドが菱形であることを特徴とする請求項１乃至３の何れか１項に記載の耳掛け式顔パック。
【請求項５】
前記顔面貼り付け部に、鼻被覆部が形成されていることを特徴とする請求項１乃至４の何れか１項に記載の耳掛け式顔パック。
【請求項６】
さらに、漢方美容液が染み込まれていることを特徴とする請求項１乃至５の何れか１項に記載の耳掛け式顔パック。
【考案の詳細な説明】
【技術分野】
【０００１】
本考案は、特に耳に掛けて使用するものであり、顎まで被覆することができる耳掛け式顔パックに関するものである。
【背景技術】
【０００２】
図３に示すように、従来の顔パックは、シートに美容液をたっぷり染み込ませ、約１０分乃至１５分間顔面を被覆することにより、顔の皮膚に顔パックの美容液を吸収させ、水分や養分などを補給することができるので、顔の皮膚を潤し、つやをよくする効果を提供することができる。
【考案の概要】
【考案が解決しようとする課題】
【０００３】
しかしながら、従来の顔パックは、伸縮性に優れていないので、顔面の形状にぴったりと合わせることが難しく、また、従来の顔パックは、顔を被覆することはなんとかできるが、耳や顎を被覆することはできなかったので、顎の角質が厚くなり、つやが悪くなってしまう恐れがあった。さらに、従来の顔パックは、顔に固定することができないことから、顔パックが剥がれ落ちるのを防止するため、常に顔を上に向けた姿勢を維持する必要があった。
【０００４】
そこで、案出されたのが本考案であって、マスクの伸縮性を向上させるために複数のグリッドを設けることにより、顎から顔面にかけて好適に被覆できると共に、使用者が自由に動けるように、顔面にしっかりと固定することができる耳掛け式顔パックを提供することを目的としている。
【課題を解決するための手段】
【０００５】
本願の請求項１の考案は、中央近傍における目と口に対応する位置に３つの開口が形成され、左右両側に耳掛けスリットが形成されている顔面貼り付け部を含み、その顔面貼り付け部の全域にわたってグリッドが設けられていることを特徴とする耳掛け式顔パックを提供する。
【０００６】
本願の請求項２の考案は、さらに、全域にわたってグリッドが設けられ、上辺の中央部が前記顔面貼り付け部の底辺の中央部と連結されている顎貼り付け部を有していることを特徴とする請求項１に記載の耳掛け式顔パックを提供する。
【０００７】
本願の請求項３の考案は、前記顎貼り付け部の両端にはそれぞれ、外方に向って延出し、耳掛けスリットが形成されている耳掛け部が形成されていることを特徴とする請求項２項に記載の耳掛け式顔パックを提供する。
【０００８】
本願の請求項４の考案は、前記グリッドが菱形であることを特徴とする請求項１乃至３の何れか１項に記載の耳掛け式顔パックを提供する。
【０００９】
本願の請求項５の考案は、前記顔面貼り付け部に、鼻被覆部が形成されていることを特徴とする請求項１乃至４の何れか１項に記載の耳掛け式顔パックを提供する。
【００１０】
本願の請求項６の考案は、さらに、漢方美容液が染み込まれていることを特徴とする請求項１乃至５の何れか１項に記載の耳掛け式顔パックを提供する。
【考案の効果】
【００１１】
本考案は上記の課題を解決するものであり、複数のグリッドによりマスクの伸縮性を向上させ、顎から顔面にかけて好適に被覆できると共に、使用者が自由に動けるように、顔面にしっかりと固定することができる。
【図面の簡単な説明】
【００１２】
【図１】本考案に係る耳掛け式顔パックの斜視図である。
【図２】本考案に係る耳掛け式顔パックの使用方法を示す斜視図である。
【図３】従来の顔パックの斜視図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１は本考案に係る耳掛け式顔パックの斜視図であり、図２は本考案に係る耳掛け式顔パックの使用方法を示す斜視図である。
【００１５】
図１に示すように、本考案の耳掛け式顔パック（１）は、複数のグリッドを備える顔面貼り付け部（２０）及び顎貼り付け部（３０）を有するものであり、該グリッドは菱形であってもよい。また、前記顔面貼り付け部（２０）及び顎貼り付け部（３０）には、漢方美容液（４０）が染み込まれている。
【００１６】
前記顔面貼り付け部（２０）には、両眼と口とを露出させるための３つの開口（２１）が穿設されていると共に、該顔面貼り付け部（２０）の中央部には、鼻の形状に合った鼻被覆部（２２）が形成され、該顔面貼り付け部（２０）の両側には、耳に掛けるための耳掛けスリット（２３）が形成されている。
【００１７】
前記顎貼り付け部（３０）は、細長い弧状を呈し、その上辺の中央部が、前記顔面貼り付け部（２０）の底辺中央部と連結されていると共に、その両端が該顔面貼り付け部（２０）の周縁に沿って延出し、更に、該顎貼り付け部（３０）の両端には夫々、耳掛け部（３１）が形成され、該各耳掛け部（３１）には夫々、耳掛けスリット（３２）が形成されている。
【００１８】
前記漢方美容液（４０）は、顔面貼り付け部（２０）と顎貼り付け部（３０）に十分に染み込まれており、顔の皮膚をみずみずしく潤す効果を有している。
【００１９】
図２に示すように、本考案に係る顔パックを使用する時は、３つの開口（２１）を夫々両眼及び口に、鼻被覆部（２２）を鼻に合わせるように、漢方美容液（４０）が染み込まれている顔面貼り付け部（２０）を顔面に被覆する。本案の構成によれば、前記顔面貼り付け部（２０）には伸縮性を向上させるための複数の菱形グリッド（１０）が形成されているので、耳掛けスリット（２３）を耳に掛けることにより、該顔面貼り付け部（２０）をしっかりと顔面にフィットさせることができる。また、本考案に係る顔パックは、耳掛け式の構成であるので、異なる形状や異なるサイズの顔面に対しても好適に被覆することができる。
【００２０】
さらに、前記顎貼り付け部（３０）に複数の菱形グリッドが形成されていると共に、耳掛け部（３１）が顎の両側に沿って延出しているので、顎に貼り付ける時には、好適な伸縮性が発揮されている。このように、本考案では、前記耳掛けスリット（３２）を耳に掛ければ、顎の皮膚の大半を被覆することができるので、前記漢方美容液（４０）を十分に顎の皮膚に浸透させることができる。
【００２１】
また、前記顎貼り付け部（３０）は、細長い弧状を呈し、該顎貼り付け部（３０）の上辺中央部は、前記顔面貼り付け部（２０）の底辺中央部と結合されていることから、該顔面貼り付け部（２０）の形状を変化させない状態で、該顎貼り付け部（３０）の両側の耳掛け部（３１）を延出させているので、該顎貼り付け部（３０）を顔面にしっかりとフィットさせることができる。
【００２２】
上述したように、本考案の耳掛け式顔パック（１）には、３つの開口（２１）が穿設されているので、漢方美容液（４０）が両眼又は口に入らないように、両眼及び口を露出させることができる。また、顔面貼り付け部（２０）の耳掛けスリット（２３）又は/及び顎貼り付け部（３０）の耳掛けスリット（３２）を耳に掛けて、本考案に係る耳掛け式顔パック（１）を顔面にしっかりと固定することにより、脱落を防止できるので、本考案に係る耳掛け式顔パック（１）を顔面に被覆し使用する時、使用者は自由に動くことができる。
【産業上の利用可能性】
【００２３】
本考案は上記の構成を有するので、伸縮性を向上させる複数のグリッドを有する顔面貼り付け部又は/及び顎貼り付け部に形成される耳掛けスリットを耳に掛けることにより、顔パックを顔面にしっかりと固定することができる。また、顎貼り付け部により顎を被覆し、顎の皮膚に漢方美容液を十分に浸透させることができる。
【符号の説明】
【００２４】
１            耳掛け式顔パック
１０          菱形グリッド
２０          顔面貼り付け部
２１          開口
２２          鼻被覆部
２３          耳掛けスリット
３０          顎貼り付け部
３１          耳掛け部
３２          耳掛けスリット
４０          漢方美容液
【図１】
0003153252.tif 000003
【図２】
0003153252.tif 000004
【図３】
0003153252.tif 000005